【事件の表示】
　平成　９年特許願第２３０３４４号「パチンコ遊技機における賞球排出装置」拒絶査定不服審判事件〔平成１１年　３月　２日出願公開、特開平１１−　５７１５８〕について、次のとおり審決する。
【結　論】
　本件審判の請求は、成り立たない。
【理　由】
第１　手続の経緯
　
　本願の経緯概要は下記のとおりである。
　
特許出願　平成９年８月１１日
審査請求　平成１３年７月２７日
拒絶理由　平成１７年１１月２８日
手続補正　平成１８年２月２日
拒絶査定　平成１８年７月３日
審判請求　平成１８年８月１０日
手続補正　平成１８年９月８日
　
第２　本願発明について
　
１．平成１８年９月８日付の手続補正について
　
　平成１８年９月８日付の手続補正（以下「本件補正」という。）により、特許請求の範囲の請求項１は、
「機裏側に装備された機構セット盤における球貯留排出経路部内の貯留球を、遊技盤内でのパチンコゲームの入賞成立に対する賞球として払出して賞球経路から機前側の球皿へ給出する一方、球抜き操作により戻し球として抜出して球抜き路から機外へ排出するパチンコ遊技機にあって、
　前記機構セット盤の所定部位に着脱可能に組付けセットされて、内部に球貯留排出経路部に連通する球入路と前記賞球経路に連通する払出し路および球抜き路に連通する戻し路とを有する１つのケース体内に、球入路に臨む位置に支持された回転式の球送り体を電子制御装置の制御により駆動される払出し用の電磁ソレノイドおよび規制部材により回転停止制御して、球入路内の球を１球ずつ払出すように設定された球払出し部を組込むと共に、この球払出し部から払出された球を賞球経路側と球抜き路側に通出切換えし得る電動式の切換え排出部を組込んでケース体単位で構成し、
　前記切換え排出部は、前記ケース体内に着脱可能に取着されて払出し路と戻し路の蓋板を兼用する１枚の仕切り板における払出し路および戻し路を向く内側に、両路の分岐連絡部位に位置する傾動式の切換え弁を組付けると共に、該仕切り板の外向き側に、前記切換え弁に連繋手段で連繋されて電子制御装置の制御に基づく駆動条件により切換え弁を切換え保持し得る切換え用の電磁ソレノイドを組付け、更に前記切換え弁より賞球経路側において払出し路に対する閉鎖位置と賞球経路側へ揺動した開放位置とに亘り変向し得る開閉片を該仕切り板の内側に揺動自在に支持することで仕切り板単位で構成されて、該切換え排出部がケース体内に装備され、
　前記ケース体における仕切り板と対向するベース板に形成されて前記払出し路を画成する上側の区画壁における下流側の切欠き部位において、前記仕切り板の内側に突設した支持部と、前記ベース板に突設した支持部との間に架設される支軸に前記開閉片が揺動自在に枢支されて、その先端が払出し路を画成する下側の区画壁に当接して該払出し路を閉遮するよう垂下し、
　前記切換え排出部において、前記球払出し部から払出された球を、前記切換え用の電磁ソレノイドの駆動条件による切換え弁の払出し位置と戻し位置との切換え保持により、払出し路から賞球経路側と戻し路から球抜き路側とに区分排出し得るもとで、常には閉鎖位置に保持される前記開閉片が払出し路を通出する球で押開かれる一方で、機前側からの不正物侵入操作により裏側の賞球経路内を挿入して払出し路内に向けて侵入される不正物を閉鎖位置に保持される開閉片で当て止めて、該不正物のそれ以上の侵入を阻止して前記切換え弁を直接的に操作し得ないようにし、
　前記払出し路を通出する球により揺動変位する前記開閉片の先端が当接するベース板の側壁と前記支持部との間のベース板に、賞球経路側から不正操作されてケース体内部へ侵入した不正物が、前記開閉片が枢支されている前記切欠き部位を介して球払出し部側へ到達することを防止する防護壁を一体成形した
ことを特徴とするパチンコ遊技機における賞球排出装置。」
と補正された。
　
　ここで、本件補正後の請求項１は、原査定時の特許請求の範囲の請求項１に対して，原査定時の請求項２及び原査定時の請求項３に記載された事項をそのまま付加し、一つの請求項として記載したものであると認められる。よって、本件補正は、請求項１，２の削除を目的としたものである。
　
２．本願発明
　
　したがって、本件補正後の請求項１に記載された発明（以下「本願発明」という。）について以下検討することとし、本願発明は上記１．に本件補正後の請求項１として記載したとおりのものである。
　
３．引用例
　
　原査定の拒絶の理由に引用された特開平５−９２０７３号公報（以下、「引用文献１」という。）には、図面と共に以下ａ．〜ｓ．の技術事項が記載されている。
　
ａ．「前面枠２の裏面には裏機構盤３が取り付けられ」（段落【０００９】）
ｂ．「球貯留タンク７を裏機構盤３に取り付ける」（段落【００１６】）
ｃ．「球貯留タンク７の開口２７から落下するパチンコ球を排出樋８の上流部に導く誘導樋ユニット２２」（段落【００２４】）
ｄ．「誘導樋ユニット２２を裏機構盤３に取り付ける」（段落【００２９】）
ｅ．「排出ユニット２３は図２２〜図２５のようにケース状の第１と第２の流路構成部材１００と１０１ならびにカバー部材１０２を重ね合わせることにより作られ、その内部に誘導樋ユニット２２側の蛇行路５８に接続する調整路１０３が形成される。調整路１０３は主に上流側の垂直部１０４と下流側の傾斜部１０５とからなり、傾斜部１０５の下端付近でパチンコ球の流下を規制するストッパ機構１０６（排出機構）ならびにその直ぐ上流で排出球を検出する検出器１０７が設けられる。」（段落【００３３】）
ｆ．「ストッパ機構１０６は傾斜部１０５内に対してそれぞれ進退可能な一対の係止部材１１１と、これらをおのおの進退させるソレノイド１１２などから構成される。」（段落【００３５】）
ｇ．「排出ユニット２３を裏機構盤３に取り付けるため、裏機構盤３の窓９右側には嵌合凹部１３５が設けられる。嵌合凹部１３５は流路切換ユニット２４の取付スペースも一体に形成したもので、凹部１３５の縁には両ユニット２３，２４を上下に位置決めするためのフランジ片１３６が、また凹部１３５の片側には排出ユニット２３下部を支持する係止部１３７と、流路切換ユニット２４下部を係止する抜止め部１３８が配設される。また、排出ユニット２３の取付位置側方には凹部１３５にセットされるユニット２３背面を係止する爪１３９付きの側壁１４０が盤面上に立設される。」（段落【００４１】）
ｈ．「排出ユニット２３は裏機構盤３の後方から前面側の段付き係合部１４１を嵌合凹部１３５にセットすると共に、背面側から側壁１４０の爪１３９で係止することによって取り付けられる。」（段落【００４３】）
ｉ．「排出制御回路１７（図１参照）であるが、玉切れ検出器６０のオフを条件に入賞球払出ユニット１６内の検出器の球有り検出時に賞球の排出を、また球貸し機からの排出要求に対して貸し球の排出を制御するもので、賞球の排出時には球排出機構１０６のソレノイド１１２を駆動すると共に検出器１０７からの信号をもとに排出数をカウントし、これが所定の賞球数に達するとソレノイド１１２の駆動を停止する。」（段落【００４４】）
ｊ．「流路切換ユニット２４は図２７〜図３１のように側面部材１５０，１５１と基板１５２，１５３を一組みずつ並べて重ね合わすことにより構成され、これらの側面部材１５０，１５１と基板１５２，１５３の間におのおの排出ユニット２３の調整路１０３に接続する２系統の分流路１５４が形成される。なお、一方の分流路１５４は側面部材１５１の基板１５３との対向面に一体成型した樋壁により、他方の分流路１５４は基板１５２の側面部材１５０との対向面に一体成型した樋壁によりそれぞれ作られる。」（段落【００４７】）
ｋ．「各分流路１５４は上流側の垂直部１５５と下流側の蛇行部１５６ならびに分岐部１５７とからなり、分岐部１５７の入口に開閉扉１５８が配設される。各開閉扉１５８は下端基部で２枚の基板１５２，１５３を貫通する軸１５９の両側にて回動自由に支持され、同じく基板１５２，１５３のガイド孔１６０を貫通するロッド１６１で互いに連結される。軸１５９の中間にはレバー部材１６２がくの字状の中央部にて回動自由に取り付けられ、その一端は長孔１６３を介して開閉扉１５８間の連結ロッド１６１に係合され、他端は流路切換え用のソレノイド１６４にリンク１６５を介してピン結合される。」（段落【００４８】）
ｌ．「開閉扉１５８はソレノイド１６４により一体的に駆動され、閉じ状態（ソレノイド１６４の非通電時）で分岐部１５７を遮断する一方、開き時（ソレノイド１６４の通電状態）には分岐部１５７を垂直部１５５に接続すると共に蛇行部１５６側を遮断する。」（段落【００４９】）
ｍ．「流路切換ユニット２４は前面側が裏機構盤３の嵌合凹部１３５との段付き係合部１６８に形成され、排出ユニット２３と同じく裏機構盤３の後方から段付き係合部１６８を嵌合凹部１３５にセットすると共に抜止め部１３８で係止することによって取り付けられのであり、この状態で蛇行部１５６は裏機構盤３側の排出樋８に接続される（図２６参照）。また、流路切換ユニット２４の上部には排出ユニット２３下部の段付き係合部１４２を受け入れる接続凹部１６９が左右の側面部材１５０と１５１間に形成される。」（段落【００５０】）
ｎ．「係合部１６８の内側にはそれぞれ側面部材１５０，１５１と基板１５２，１５３の間で分岐部１５７から下方へ延びる断面コの字型の溝１７０が設けられ、嵌合凹部１３５内に分岐部１５７を裏機構盤３の前面側に一体成型した球抜き樋（図示せず）へとつなげる連絡路を形成するようになっている。なお、嵌合凹部１３５の下端には連絡路を球抜き樋に開口する穴（図示せず）が設けられる。」（段落【００５１】）
ｏ．「垂直部１５５の底壁１７１は排出ユニット２３側から落下するパチンコ球が勢いよく当たるので、耐摩耗性および緩衝性に優れる別部材の構成部品を用いて交換可能に取り付けられる。この構成部品１７１は蛇行部１５６のガイド壁を形成するデルタ形状部１７２と、分岐部１５７入口の下壁を構成するブロック形状部１７３とからなり…係合突起１７４Ａ，１７４Ｂを介して基板１５２，１５３と側面部材１５０，１５１の間に固定される。構成部品１７１は開閉扉１５８との位置関係からブロック形状部１７３の上面に扉１５８の基部を囲うような円弧状の凹部１７５が、またデルタ形状部１７２とブロック形状部１７３の間に後述する針金など異物の侵入防止ゲート１７６を取り付けるための切欠部１７７が形成される。」（段落【００５２】）
ｐ．「蛇行部１５６はパチンコ球の流下速度を適度に減衰させるもので、またパチンコ機１前面側の供給皿または受け皿から針金などを侵入させて排出ユニット２３のストッパ機構１０６を開こうとする不正行為に対する防止機能も備えるが、この場合さらに完全な不正防止を図るため、蛇行部１５６の下流側の屈曲部分を上方から遮断する異物の侵入防止ゲート１７６が設けられる。この防止ゲート１７６は構成部品１７１の切欠部１７７内に位置する一端で軸１７９を介して回動自由に支持され、自重によって垂れ下がる閉じ位置から切欠部１７７内の範囲で下流側への回動、つまりパチンコ球の流下方向にのみ樋を開くようになっている。なお、防止ゲート１７６の閉じ位置から上流側への回動は切欠部１７７の内面と樋壁の係止段部１８０により規制される。」（段落【００５３】）
ｑ．「裏機構盤３には前面側の凹部空間を利用して嵌合凹部１３５の下端に接続する球抜き樋が形成され、流路切換ユニット２４の分岐部１５７からのパチンコ球を遊技盤のアウト球ならびに払出ユニット１６からの入賞球と同じくパチンコ機１後方の回収樋へと排出する。」（段落【００６０】）
ｒ．「遊技盤の入賞口に遊技球が入賞すると、入賞球はすべて遊技盤裏側の集合樋に入り、その下方の払出ユニット１６に導かれ、いったん流下が阻止される。入賞球検出器が球有り検出により賞球の排出要求が発生すると、排出ユニット２３のソレノイド１１２が駆動され係止部材１１１を所定の作動時間だけ開き状態に変換する。」（段落【００６２】）
ｓ．「これにより、パチンコ球は排出ユニット２３から流路切換ユニット２４の蛇行部１５６および排出樋８の下流部を通してパチンコ機１前面の供給皿もしくは受け皿へと排出されるのであり、排出球検出器１０７にて検出されるパチンコ球のカウント値が要求数にも達すると、ソレノイド１１２の停止により係止部材１１１が閉じ状態に戻される。」（段落【００６３】）
　
　上記引用文献１における記載事項及び図面を総合的に勘案すると、引用文献１には、次の発明（以下、「引用発明」という。）が記載されている。
　
「前面枠の裏面には裏機構盤が取り付けられ、球貯留タンク及び、球貯留タンクの開口から落下するパチンコ球を排出樋の上流部に導く誘導樋ユニットを裏機構盤に取り付け、遊技盤の入賞口に遊技球が入賞すると、入賞球検出器の球有り検出により賞球の排出要求が発生し、パチンコ球は排出ユニットから流路切換ユニットの蛇行部および排出樋の下流部を通してパチンコ機前面の供給皿もしくは受け皿へと排出され、流路切換ユニットの分岐部からのパチンコ球をパチンコ機後方の回収樋へと排出する球抜き樋が形成され、
　裏機構盤には排出ユニット及び流路切換ユニットの取付スペースも一体に形成した嵌合凹部が設けられ、排出ユニット及び流路切換ユニットを裏機構盤に取り付け、
　排出ユニットは、誘導樋ユニット側に接続する調整路が形成され、調整路は主に上流側の垂直部と下流側の傾斜部とからなり、傾斜部の下端付近でパチンコ球の流下を規制するストッパ機構（排出機構）ならびにその直ぐ上流で排出球を検出する検出器が設けられ、ストッパ機構は傾斜部内に対して進退可能な係止部材と、これらを進退させる球排出機構のソレノイドなどから構成され、排出制御回路は、賞球の排出を制御するもので、賞球の排出時には球排出機構のソレノイドを駆動すると共に検出器からの信号をもとに排出数をカウントし、これが所定の賞球数に達すると球排出機構のソレノイドの駆動を停止させ、
　流路切換ユニットは、排出ユニットの調整路に接続する分流路が形成され、分流路は上流側の垂直部と下流側の蛇行部ならびに分岐部とからなり、蛇行部は裏機構盤側の排出樋に接続され、分岐部を球抜き樋へとつなげ、分岐部の入口に開閉扉が配設され、開閉扉は軸にて回動自由に支持され、かつ流路切換え用のソレノイドにより一体的に駆動され、閉じ状態（流路切換え用のソレノイドの非通電時）で分岐部を遮断する一方、開き時（流路切換え用のソレノイドの通電状態）には分岐部を垂直部に接続すると共に蛇行部側を遮断し、流路切換ユニットは側面部材と基板を一組み並べて重ね合わすことにより構成され、これらの側面部材と基板の間に分流路が形成され、側面部材の基板との対向面又は基板の側面部材との対向面に一体成型した樋壁により分流路が作られ、開閉扉が下端基部で基板を貫通する軸にて回動自由に支持され、軸の中間にはレバー部材がくの字状の中央部にて回動自由に取り付けられ、その一端は長孔を介して開閉扉の連結ロッドに係合され、他端は流路切換え用のソレノイドにリンクを介してピン結合され、
　パチンコ機前面側の供給皿または受け皿から針金などを侵入させる不正行為に対してさらに完全な不正防止を図るため、蛇行部の下流側の屈曲部分を上方から遮断する異物の侵入防止ゲートが設けられ、この防止ゲートは構成部品の切欠部内に位置する一端で軸を介して回動自由に支持され、自重によって垂れ下がる閉じ位置から切欠部内の範囲で下流側への回動、つまりパチンコ球の流下方向にのみ樋を開くようになっており、防止ゲートの閉じ位置から上流側への回動は切欠部の内面と樋壁の係止段部により規制される
パチンコ機」
　
４．対比
　
　そこで、本願発明と引用発明とを比較する。
　
　引用発明における「前面枠の裏面」は、本願発明における「機裏側」に相当し、引用発明の「裏機構盤」は、本願発明の「機構セット盤」に相当する。また、引用発明の「球貯留タンク」と「誘導樋ユニット」の両者は、本願の「球貯留排出経路部」に相当する。
　引用発明の「遊技盤の入賞口に遊技球が入賞」は、本願発明の「遊技盤内のパチンコゲームの入賞成立」に相当し、入賞した際に払い出される球は「賞球として払出」されるものである。また、引用発明の「排出樋」は、本願発明の「賞球経路」に相当し、引用発明の「パチンコ機前面」は本願発明の「機前」、引用発明の「供給皿もしくは受け皿」は本願発明の「球皿」に相当する。
　引用発明の「球抜き樋」は、本願発明の「球抜き路」に相当し、また引用発明の「パチンコ機後方の回収樋」が、本願発明の「機外」に当たることは明らかである。また、何らかの「球抜き操作」により抜出される球は「戻し球として抜出」されるものであることは、パチンコ遊技機において例を挙げるまでもない技術常識に過ぎない。
　引用発明の「排出ユニット」は、本願発明の「球払出し部」に相当し、引用発明の「流路切換ユニット」は本願発明の「切換え排出部」に相当する。また、引用発明においても裏機構板に排出ユニット及び流路切換ユニットの取付スペースが設けられているから、「機構セット盤の所定部位に組み付けセット」されることは明らかである。
　引用発明の「調整路」は本願発明の「球入路」に、引用発明の「蛇行部」は本願発明の「払出し路」に、引用発明の「分岐部」は本願発明の「戻し路」にそれぞれ相当する。
　また、引用発明の「排出ユニット」に関して、引用発明の「係止部材」は本願発明の「球送り体」に相当し、引用発明の「球排出機構のソレノイド」は本願発明における「払出し用の電磁ソレノイド」に相当する。引用発明も係止部材の進退によってパチンコ球の流下を規制し、「賞球の排出要求が発生すると…係止部材を所定の時間だけ開き状態に変換する」「パチンコ球のカウント値が要求数にも達すると…係止部材が閉じ位置に戻される」ものである（引用文献１の段落【００３７】及び上記記載事項ｒ．ｓ．参照）から、「球入路内の球を１球ずつ払出す」ものであることは明らかである。
　引用発明では「排出制御回路は、賞球の排出を制御するもので、賞球の排出時には球排出機構のソレノイドを駆動すると共に検出器からの信号をもとに排出数をカウントし、これが所定の賞球数に達するとソレノイドの駆動を停止させ」とあるが、引用発明の「排出制御装置」は、いわゆる副制御装置であって、主制御装置によって制御されることは技術常識であるから、「電子制御装置の制御により駆動される払出し用の電磁ソレノイドにより制御して…払出すように設定」されていることは明らかである。
　また、引用発明の「流路切換ユニット」に関して、「開閉扉は流路切換え用のソレノイドにより一体的に駆動され、閉じ状態（流路切換え用のソレノイドの非通電時）で分岐部を遮断する一方、開き時（流路切換え用のソレノイドの通電状態）には分岐部を垂直部に接続すると共に蛇行部側を遮断する」ことから、引用発明の「開閉扉」は本願発明の「切換え弁」に相当し、「傾動式」であることも明らかであり、また、引用発明の「流路切換え用のソレノイド」は本願発明の「切換え用の電磁ソレノイド」に相当し、流路切換ユニットが「電動式」であることも明らかである。引用発明の「分岐部の入口」は、本願発明の「分岐連絡部位」に相当し、また、引用発明の流路切換ユニットは、「排出ユニットの調整路に接続する分流路が形成」され、かつ、「分岐部」は「球抜き樋」に、「蛇行部」は「排出樋」にそれぞれ連通するものであるから、「球払出し部から払出された球を」何らかの「駆動条件」によって「賞球経路側と球抜き路側に通出切換え」し得ること、及び「払出し位置と戻し位置との切換え保持」し得ることは明らかであって、「払出し路から賞球経路側と戻し路から球抜き路側とに区分排出し得る」ことも明らかである。
　また、引用発明の「基板」は、本願発明の「仕切り板」に相当し、分流路（蛇行部や分岐部）に対して蓋の機能を有しているから、「蓋板を兼用する」ことは明らかである。また、開閉扉は「仕切り板」から分流路（蛇行部と分岐部）側に位置しており、また引用文献１の図３０も参照すれば、何らかの手段で基板に対して取り付けていると認められるから、開閉扉も「基板」の「内側」に「組み付け」られていると認められる。
　また、引用発明の「開閉扉」は「下端基部で基板を貫通する軸にて回動自由に支持され、軸の中間にはレバー部材がくの字状の中央部にて回動自由に取り付けられ、その一端は長孔を介して開閉扉の連結ロッドに係合され、他端は流路切換え用のソレノイドにリンクを介してピン結合され」ていることから、流路切換え用のソレノイドに「連繋手段で連繋されて」いるものである。
　また、引用発明における「防止ゲート」は、本願発明の「開閉片」に相当し、また引用発明の「防止ゲート」も「蛇行部の下流側の屈曲部分」に設けられているから、防止ゲートが「切換え弁より賞球経路側」、「払出し路の下流側」に位置することは明らかであり、また防止ゲートは「仕切り板」から蛇行部側に位置しており、また引用文献１の図３０も参照すれば、何らかの手段で基板に対して取り付けていると認められるから、防止ゲートも「基板」の「内側」に支持されていると認められる。
　また、引用発明において、防止ゲートを支持する「軸」は、本願発明の「支軸」に相当し、そして、防止ゲートが「軸を介して回動自由に支持され」ているから、「揺動自在に支持」、「支軸」に「揺動自在に枢支」しているものである。また、防止ゲートは「自重によって垂れ下がる閉じ位置から切欠部内の範囲で下流側への回動、つまりパチンコ球の流下方向にのみ樋を開く」ようになっているから、「払出し路に対する閉鎖位置と賞球経路側へ揺動した開放位置とに亘り変向し得る」ものであり、「払出し路を閉遮するよう垂下」し、「常には閉鎖位置に保持」され、「払出し路を通出する球で押開かれる」ものである。
　引用発明における「側面部材」は本願発明の「ベース板」に相当し、「分流路は側面部材の基板との対向面に一体成型した樋壁により作られる」ものであるから、引用発明における「樋壁」は本願発明の「区画壁」に相当し、また樋壁は分流路を形成するものであるから、樋壁には「上側」に相当する部分と「下側」に相当する部分があることも明らかである。引用発明においては「防止ゲートの閉じ位置から上流側への回動は切欠部の内面と樋壁の係止段部により規制される」ことから、「閉じ位置」において防止ゲートの下端が「払出し路を画成する下側の区画壁に当接」することは、引用文献１の図３１（Ｂ）も参照すれば明らかである。
　また、引用発明において、防止ゲートを支持する軸は基板と側面部材とに掛け渡されるように設けられていることは明らかであるから、「基板」と「側面部材」においても軸を支持する何らかの手段（支持部）を備えることは明らかである。
　また、引用発明においては「パチンコ機前面側の供給皿または受け皿から針金などを侵入させる不正行為に対してさらに完全な不正防止を図るため…異物の侵入防止ゲートが設けられ」ているものであって、「防止ゲートは構成部品の切欠部内に位置する一端で軸を介して回動自由に支持され、自重によって垂れ下がる閉じ位置から切欠部内の範囲で下流側への回動、つまりパチンコ球の流下方向にのみ樋を開くようになっており、防止ゲートの閉じ位置から上流側への回動は切欠部の内面と樋壁の係止段部により規制される」のであるから、ここで引用発明における「パチンコ機前面側の供給皿または受け皿から針金などを侵入させる不正行為」は本願発明の「機前側からの不正物侵入操作」に相当し、引用発明の防止ゲートが「裏側の賞球経路内を挿入して払出し路内に向けて侵入される不正物を閉鎖位置に保持される開閉片で当て止めて、該不正物のそれ以上の侵入を阻止」するものであることは明らかである。そして、引用発明においても開閉扉は防止ゲートの上流側に位置しているから、「切換え弁を直接的に操作し得ない」という点は必然的に導くことのできることに過ぎない。
　
　よって、両者は、
「機裏側に装備された機構セット盤における球貯留排出経路部内の貯留球を、遊技盤内でのパチンコゲームの入賞成立に対する賞球として払出して賞球経路から機前側の球皿へ給出する一方、球抜き操作により戻し球として抜出して球抜き路から機外へ排出するパチンコ遊技機にあって、
　前記機構セット盤の所定部位に組付けセットされる、球貯留排出経路部に連通する球入路を有し、球入路に臨む位置に支持された球送り体を電子制御装置の制御により駆動される払出し用の電磁ソレノイドにより制御して、球入路内の球を１球ずつ払出すように設定された球払出し部、及び、前記賞球経路に連通する払出し路および球抜き路に連通する戻し路とを有し、球払出し部から払出された球を賞球経路側と球抜き路側に通出切換えし得る電動式の切換え排出部と、
　前記切換え排出部は、払出し路と戻し路の蓋板を兼用する仕切り板における払出し路および戻し路を向く内側に、両路の分岐連絡部位に位置する傾動式の切換え弁を組付けると共に、前記切換え弁に連繋手段で連繋されて駆動条件により切換え弁を切換え保持し得る切換え用の電磁ソレノイドを組付け、更に前記切換え弁より賞球経路側において払出し路に対する閉鎖位置と賞球経路側へ揺動した開放位置とに亘り変向し得る開閉片を該仕切り板の内側に揺動自在に支持し、
　前記ケース体における仕切り板と対向するベース板に前記払出し路を画成する上側の区画壁を形成し、払出し路の下流側において、前記仕切り板の支持部と、前記ベース板の支持部との間に架設される支軸に前記開閉片が揺動自在に枢支されて、その先端が払出し路を画成する下側の区画壁に当接して該払出し路を閉遮するよう垂下し、
　前記切換え排出部において、前記球払出し部から払出された球を、前記切換え用の電磁ソレノイドの駆動条件による切換え弁の払出し位置と戻し位置との切換え保持により、払出し路から賞球経路側と戻し路から球抜き路側とに区分排出し得るもとで、常には閉鎖位置に保持される前記開閉片が払出し路を通出する球で押開かれる一方で、機前側からの不正物侵入操作により裏側の賞球経路内を挿入して払出し路内に向けて侵入される不正物を閉鎖位置に保持される開閉片で当て止めて、該不正物のそれ以上の侵入を阻止して前記切換え弁を直接的に操作し得ないようにした
　パチンコ遊技機における賞球排出装置。」
で一致し、以下の点で相違している。
　
［相違点１］
　
　本願発明においては、「球払出し部」及び「切換え排出部」が「１つのケース体内」に組み込まれて「ケース体単位で構成」され、また「切換え排出部がケース体内に装備」され、「ケース体」が「機構セット盤に着脱可能に組付けセット」されているのに対して、引用発明にはかかる構成がない点。
　
［相違点２］
　
　本願発明においては、「回転式の球送り体」を「払出し用の電磁ソレノイドおよび規制部材により回転停止制御」しているのに対して、引用発明では「係止部材」が進退可能となるよう「球排出機構のソレノイド」を制御している点。
　
［相違点３］
　
　本願発明においては、「仕切り板の外向き側」に切換え用の電磁ソレノイドを組付けているのに対して、引用発明においては、流路切換え用のソレノイドを備えているものの、基板の外向き側に組み付けていない点。
　
［相違点４］
　
　本願発明においては、「仕切り板」が「仕切り板単位で構成」され、「一枚の仕切り板」が「ケース体内に着脱可能に取着」されているのに対して、引用発明においてはかかる構成がない点。
　
［相違点５］
　
　本願発明においては、「電子制御装置の制御に基づく駆動条件」によって「切換え弁」を「切換え保持」しているのに対し、引用発明においては何らかの開閉弁の駆動条件はあると認められるものの「電子制御装置の制御に基づく」ものであるかどうか不明である点。
　
［相違点６］
　
　本願発明においては、「前記ケース体における仕切り板と対向するベース板に形成されて前記払出し路を画成する上側の区画壁」における「切欠き部位」において架設される支軸に開閉片を揺動自在に枢支するものであるのに対して、引用発明では、防止ゲートは「構成部品の切欠部内に位置する一端」で軸を介して回動自由に支持されているものである点。
　
［相違点７］
　
　本願発明においては、開閉片を枢支する仕切り板とベース板における支持部が「突設した支持部」であるのに対して、引用発明においては軸の支持部があるとは認められるものの「突設した」ものであるかどうか不明である点。
　
［相違点８］
　
　本願発明においては、「前記開閉片の先端が当接するベース板の側壁と前記支持部との間のベース板に、賞球経路側から不正操作されてケース体内部へ侵入した不正物が、前記開閉片が枢支されている前記切欠き部位を介して球払出し部側へ到達することを防止する防護壁を一体成形した」ものであるのに対して、引用発明にはかかる構成がない点。
　
５．判断
　
［相違点１について］
　
　引用発明においても、排出ユニットと流路切換ユニットを裏機構板に取り付けており、また裏機構板に排出ユニット及び流路切換ユニットの取付スペースも一体に形成した嵌合凹部が設けられており、さらに引用文献１においては「流路切換ユニットの上部には排出ユニット下部の段付き係合部１４２を受け入れる接続凹部１６９が左右の側面部材１５０と１５１間に形成される。」という記載もある（上記記載事項ｍ．参照）ように、排出ユニット及び流路切換ユニットをまとめて扱う技術思想は引用文献１に開示されているから、排出ユニット及び流路切換ユニットを一体化することに困難はない。
　さらに、原査定においても引用された特開平６−２３１１３号公報（以下「引用文献２」という。）においては、「払い出し球処理ユニットＵのベース体７０」内に「カウンターケース７３」及び「下誘導体８４」を取り付け、かつ「払い出し球処理ユニットＵ」を「セット枠５０」に脱着自在に装着する点が記載されている（段落【００４３】、段落【００４７】、段落【００５４】参照）。ここで、「ベース体」、「カウンターケース」、「下誘導体」、「セット枠」は、本願発明の「ケース体」、「球払出し部」、「切換え排出部」、「機構セット盤」相当するものであると認められる。
　よって、引用発明に引用文献２記載の技術を適用して、「球払出し部」及び「切換え排出部」を「１つのケース体」に組み込み、すなわち「切換え排出部」を「ケース体内に装備」し、「ケース体単位で構成」し、「ケース体」を「機構セット盤に組み付けセット」する点は、当業者にとって容易に想到できたことである。
　
［相違点２について］
　
　パチンコ機において、球の排出機構として「回転式の球送り体」を用いて、「払出し用の電磁ソレノイドおよび規制部材により回転停止制御」することは周知慣用技術に過ぎないが、引用文献２の段落【００４９】にも「回転体７６の回転を阻止若しくは許容する払い出し制御用ソレノイド７７が回転体７６に対向して設置され、この払い出し制御用ソレノイド７７の作動片７７ａは消磁時には回転体７６の各歯部７６ａのうちの１つの歯部７６ａに対接されて回転体７６の回転を阻止し、払い出し制御用ソレノイド７７が励磁されると回転体７６の歯部７６ａが作動片７７ａから解放されて回転体７６の回転動作が許容される。」との記載があり、ここで「回転体７６」「払い出し制御用ソレノイド７７」「作動片７７ａ」は、本願発明の「回転式の球送り体」、「払出し用の電磁ソレノイド」、「規制部材」に相当するから、引用文献２においても採用されている技術である。
　よって、引用発明に引用文献２記載の技術を適用して、「回転式の球送り体」を「払出し用の電磁ソレノイドおよび規制部材により回転停止制御」することは、当業者にとって容易に想到できたことである。
　
［相違点３について］
　
　引用発明においては、引用文献１の図３０も参照すれば、流路切換え用のソレノイド１６４は、基板１５３の右上の切り欠いた部分に位置し、また側面部材１５１に対して取り付けられていると判断できるものであるが、ソレノイドは、その駆動が伝えられる範囲であれば、設計上の必要性に応じて当業者が適宜場所を選択することができるものであって、引用発明においても、流路切換え用のソレノイド１６４にリンク結合するレバー部材１６２は基板１５３の外向き側（流路と反対側）に位置しており（上記記載事項ｋ．及び引用文献１の図３０参照）、とすれば、駆動を伝達する対象の部材であるレバー部材と同様の位置にソレノイドを配することに特段の阻害要因もなく、また、ソレノイドを可動部材に対して、取り付けられる板部材を挟んで反対側に配置した例も、例えば実公昭５７−５７７５１号公報（「駆動用ソレノイド２４」、「取付板１」、「可動片８」を参照）にあるように周知技術にすぎない。
　したがって、引用発明及び周知技術に基づき、基板の外向き側に流路切換え用ソレノイドを取り付けることも、当業者にとって容易に想到できたことである。
　
［相違点４について］
　
　組立作業上の効率等を考慮すれば、各部材を取り付けにあたってまとめた上で取り扱うことは、例えば一般的なユニット化等にあるように、周知慣用の手法に過ぎない。また部材の取り付けにあたって着脱可能とすることも、周知慣用の手法に過ぎない。例えば　引用文献２においても、払い出し処理ユニットＵにまとめた上でセット枠５０に着脱可能に装着したり、カウンタケース７３にまとめた上で払い出し処理ユニットＵ（のベース体７０）を取り外し可能に取り付けている。また、上記［相違点１について］で検討したように、「切換え排出部」を「ケース体」内に配することは引用文献２にも記載されている周知慣用技術である。
　引用発明の流路切換ユニットにおいても、基板に対して開閉扉や防止ゲートが取り付けられており、また基板が側面部材に対して取り着けられているものであり、上記周知慣用の手法を適用して、開閉扉や防止ゲートといった各部材を基板に対して取り付けた上で、基板と各部材を一体的に扱い、側面部材に対して着脱可能に取着させ、そして上記周知慣用技術を適用すれば、すなわちケース体に対しても着脱可能に取着することになるものであるから、引用発明に上記の引用文献２にも記載のある周知慣用の手法及び周知慣用技術を適用して、相違点４にかかる構成とすることは、当業者にとって容易に想到できたことである。
　
［相違点５について］
　
　パチンコ遊技機において、いわゆる主制御基板からの信号に基づいて各動作部材を制御することは例を挙げるまでもない周知慣用技術であるから、球抜き用の切換え弁についても、電子制御装置の制御に基づくようにすることは当業者にとって容易に想到できたことである。
　
［相違点６について］
　
　引用発明においては「構成部品」とあるが、当該構成部品も流路を区画する壁部材であるから、引用文献１の図３１も参照すれば、引用発明においても、「防止ゲート」を枢支する軸は流路の上側の壁部の「切欠部」に位置していると認められる。よって「切欠部」は、本願発明の「切欠き部位」に相当するものである。
　また、引用発明においては、側面部材に一体成型した樋壁により分流路が作られており、引用発明における「構成部品」もその樋壁としての機能を奏する部材である。引用文献１では、構成部品は別部材として固定されるものであって、一体成型されるものではないが、上記記載事項ｏ．にあるように「耐摩耗性および緩衝性」を考慮して交換可能とするために別部材として取り付けられているものであって、構成部品についても他の樋壁と同様に一体成型することも格別の困難なく選択できることであるから、「構成部品」が位置する流路部分についても一体成型した樋壁とすれば、「ベース板に形成された区画壁」における「切欠き部位」に防止ゲートの軸が位置することとなるから、相違点６にかかる構成とすることも、当業者にとって容易に設計できたことである。
　
［相違点７について］
　
　引用発明においても軸の支持部は備えており、そして支持部の構造は当業者が通常の創作能力の発揮の範囲内で適宜設計を試みることができることであり、また、支持部を突設する形状とすることが格別特徴的であるとも判断できず、さらにそのような構造とすることによってどのような効果が生じるかも不明であるから、相違点７にかかる構成とすることも、当業者にとって適宜設計できた点であると判断できる。
　
［相違点８について］
　
　相違点８における「開閉片の先端が当接するベース板の側壁」とは、「側壁」とあることから、開閉片が「開放位置」に来た際に先端が当接する部分を指すものと判断できる。
　引用発明においても、上記［相違点６について］において検討したように、「構成部品」における「切欠部」は、本願発明の「切欠き部位」に相当するものであって、切欠部から防止ゲートが下流側に回動した際に先端が当接する壁部（例えば引用文献１の図３１（Ａ）における防止ゲートの先端の位置を参照）までの間の流路の上側には、「構成部品」や「樋壁」が位置しており、これらは壁部材であって不正物が上部へ侵入することを防止していることは明らかであるから、これらの「構成部品」や「樋壁」は、本願発明の「防護壁」に機能的に相当するものである。また、「構成部品」も「樋壁」と同様に一体成型することも適宜設計できることに過ぎない。
　したがって、相違点８にかかる構成は、引用発明に基づき当業者が容易に想到できたことである。
　
　そして、本願発明の作用効果も、引用発明、引用文献２記載の技術、周知慣用技術等から当業者が予測できる範囲のものである。
　したがって、本願発明は、引用文献１に記載された発明、引用文献２記載の技術並びに周知慣用技術等に基づいて、当業者が容易に発明をすることができたものであるから、特許法第２９条第２項の規定により特許を受けることができないものである
　
第３　むすび
　
　以上のとおり、本願発明は特許法第２９条第２項の規定により特許を受けることができないものであるから、本願は拒絶を免れない。
　
　よって、結論のとおり審決する。